(57)【要約】【課題】記録媒体へ吐出される液滴の着弾位置の変動を抑制する。【解決手段】予備吐出後１枚目の記録媒体Ｐの後端部が吐出領域を抜けたときに、予備吐出されたインク滴は、ワイパーブレード４０が配置された位置に、搬送ベルト３０によって運ばれ、ワイパーブレード４０により清掃される。予備吐出後２枚目の記録媒体Ｐは、ワイパーブレード４０による清掃が完了したときに、吐出領域に進入し、インク滴が吐出され、画像が記録される。このように、搬送ベルト３０で搬送される記録媒体Ｐへインク滴を吐出する吐出動作と、搬送ベルト３０の外周面へ予備吐出されたインク滴を清掃する清掃動作とが、別々に行われる。このため、インク滴を吐出している際に搬送ベルト３０の速度変動が起きず、記録媒体へ吐出される液滴の着弾位置の変動を抑制することができる。【選択図】図５
2008201061.tif 000002
【特許請求の範囲】
【請求項１】
外周面に記録媒体を載せて搬送する搬送部材と、
前記搬送部材によって吐出領域下に搬送された前記記録媒体へ液滴を吐出すると共に、前記外周面へ液滴を予備吐出する液滴吐出ヘッドと、
予備吐出後に前記搬送部材で搬送された記録媒体の後端部が前記吐出領域を抜けたときに、予備吐出された液滴が前記搬送部材によって運ばれる位置の前記外周面上に配置され、その液滴を清掃する清掃部材と、
前記清掃部材による清掃が完了したときに、前記記録媒体の次に搬送される記録媒体の先端部が前記吐出領域の最上流に位置するように、前記次に搬送される記録媒体を前記搬送部材へ送り込む送り込み手段と、
を備えたことを特徴とする液滴吐出装置。
【請求項２】
前記清掃部材は、前記搬送部材の外周面に沿って前記吐出領域の最下流から距離Ｌの位置に配置され、
前記送り込み手段は、予備吐出後ｎ枚目の記録媒体とその次の記録媒体との間隔がＩとなるように前記次の記録媒体を搬送部材へ送り込み、
前記記録媒体の長さをｐ、間に予備吐出されることなく連続搬送される記録媒体の間隔をｉ、間に予備吐出される記録媒体の間隔をｄ、前記吐出領域の長さをｈとしたとき、
Ｌ＝ｎ・ｐ＋（ｎ−１）・ｉ＋ｄ
Ｉ＝ｈ＋ｄ
が成立することを特徴とする請求項１に記載の液滴吐出装置。
【請求項３】
前記清掃部材は、前記搬送部材の外周面に沿って移動可能とされていることを特徴とする請求項１又は請求項２に記載の液滴吐出装置。
【請求項４】
前記清掃部材は、前記搬送部材の外周面に沿って複数設けられ、予備吐出された液滴を清掃する清掃部材が選択可能とされていることを特徴とする請求項１又は請求項２に記載の液滴吐出装置。
【発明の詳細な説明】
【技術分野】
【０００１】
本発明は、液滴吐出装置に関する。
【背景技術】
【０００２】
液滴吐出装置としては、特許文献１に開示されるインクジェット記録装置が公知である。特許文献１に開示されるインクジェット記録装置では、搬送ベルト上における記録紙の載置位置に応じて、搬送ベルト上に予備吐出領域を可変設定して、それらの予備吐出領域に、記録ヘッドからインクを予備吐出させ、その予備吐出された搬送ベルト上のインクをクリーニングローラ対によって除去する。
【特許文献１】特開２０００−２７２１１０号公報
【発明の開示】
【発明が解決しようとする課題】
【０００３】
本発明は、搬送部材へ予備吐出された液滴を清掃する液滴吐出装置において、記録媒体へ吐出される液滴の着弾位置の変動を抑制することを目的とする。
【課題を解決するための手段】
【０００４】
本発明の請求項１に係る液滴吐出装置は、外周面に記録媒体を載せて搬送する搬送部材と、前記搬送部材によって吐出領域下に搬送された前記記録媒体へ液滴を吐出すると共に、前記外周面へ液滴を予備吐出する液滴吐出ヘッドと、予備吐出後に前記搬送部材で搬送された記録媒体の後端部が前記吐出領域を抜けたときに、予備吐出された液滴が前記搬送部材によって運ばれる位置の前記外周面上に配置され、その液滴を清掃する清掃部材と、前記清掃部材による清掃が完了したときに、前記記録媒体の次に搬送される記録媒体の先端部が前記吐出領域の最上流に位置するように、前記次に搬送される記録媒体を前記搬送部材へ送り込む送り込み手段と、を備えたことを特徴とする。
【０００５】
本発明の請求項２に係る液滴吐出装置は、請求項１の構成において、前記清掃部材は、前記搬送部材の外周面に沿って前記吐出領域の最下流から距離Ｌの位置に配置され、前記送り込み手段は、予備吐出後ｎ枚目の記録媒体とその次の記録媒体との間隔がＩとなるように前記次の記録媒体を搬送部材へ送り込み、前記記録媒体の長さをｐ、間に予備吐出されることなく連続搬送される記録媒体の間隔をｉ、間に予備吐出される記録媒体の間隔をｄ、前記吐出領域の長さをｈとしたとき、Ｌ＝ｎ・ｐ＋（ｎ−１）・ｉ＋ｄ、Ｉ＝ｈ＋ｄが成立することを特徴とする。
【０００６】
本発明の請求項３に係る液滴吐出装置は、請求項１又は請求項２の構成において、前記清掃部材は、前記搬送部材の外周面に沿って移動可能とされていることを特徴とする。
【０００７】
本発明の請求項４に係る液滴吐出装置は、請求項１又は請求項２の構成において、前記清掃部材は、前記搬送部材の外周面に沿って複数設けられ、予備吐出された液滴を清掃する清掃部材が選択可能とされていることを特徴とする。
【発明の効果】
【０００８】
本発明の請求項１の構成によれば、搬送部材で搬送される記録媒体へ液滴を吐出する吐出動作と、搬送部材の外周面へ予備吐出された液滴を清掃する清掃動作とを別々に行うことができるので、本構成を有していない場合に比して、記録媒体へ吐出される液滴の着弾位置の変動を抑制することができる。
【０００９】
本発明の請求項２の構成によれば、搬送部材で搬送される記録媒体へ液滴を吐出する吐出動作と、搬送部材の外周面へ予備吐出された液滴を清掃する清掃動作とを別々に行うことができるので、本構成を有していない場合に比して、記録媒体へ吐出される液滴の着弾位置の変動を抑制することができる。
【００１０】
本発明の請求項３の構成によれば、異なる長さの記録媒体が搬送された場合であっても、搬送部材で搬送される記録媒体へ液滴を吐出する吐出動作と、搬送部材の外周面へ予備吐出された液滴を清掃する清掃動作とを別々に行うことができるので、本構成を有していない場合に比して、記録媒体へ吐出される液滴の着弾位置の変動を抑制することができる。
【００１１】
本発明の請求項４の構成によれば、異なる長さの記録媒体が搬送された場合であっても、搬送部材で搬送される記録媒体へ液滴を吐出する吐出動作と、搬送部材の外周面へ予備吐出された液滴を清掃する清掃動作とを別々に行うことができるので、本構成を有していない場合に比して、記録媒体へ吐出される液滴の着弾位置の変動を抑制することができる。
【発明を実施するための最良の形態】
【００１２】
以下に、本発明に係る実施形態の一例を図面に基づき説明する。
【００１３】
本実施形態では、液滴を吐出する液滴吐出装置の一例として、インク滴を吐出して記録媒体に画像を記録するインクジェット記録装置について説明する。
【００１４】
なお、液滴吐出装置は、インクを吐出する装置に限定されるものではない。液滴吐出装置としては、例えば、フィルムやガラス上にインク等を吐出してカラーフィルタを製造するカラーフィルタ製造装置、溶解状態の半田を基板上に吐出して部品実装用のバンプを形成する装置、金属を含む液体を吐出して配線パターンを形成する装置及び液滴を吐出して膜を形成する各種の成膜装置であってもよく、液滴を吐出するものであればよい。
【００１５】
（本実施形態に係るインクジェット記録装置の全体構成）
まず、本実施形態に係るインクジェット記録装置の全体構成を説明する。図１及び図２には、本実施形態に係るインクジェット記録装置の全体構成が概略図にて示されている。
【００１６】
図１及び図２に示すように、インクジェット記録装置１０は、用紙等の記録媒体Ｐが収容される記録媒体収容部１２と、記録媒体Ｐに画像を記録する画像記録部１４と、記録媒体収容部１２から画像記録部１４へ記録媒体Ｐを搬送する搬送手段１６と、画像記録部１４によって画像が記録された記録媒体Ｐが排出される記録媒体排出部１８と、を備えている。
【００１７】
画像記録部１４は、液滴を吐出する液滴吐出ヘッドの一例として、インク滴を吐出して記録媒体に画像を記録するインクジェット記録ヘッド２０Ｙ、２０Ｍ、２０Ｃ、２０Ｋ（以下、２０Ｙ〜２０Ｋと示す）を備えている。
【００１８】
このインクジェット記録ヘッド２０Ｙ〜２０Ｋは、記録媒体Ｐの搬送方向の下流側から、イエロー（Ｙ）、マゼンタ（Ｍ）、シアン（Ｃ）、ブラック（Ｋ）の色の順で配置されており、その各色に対応したインク滴を、サーマル方式や圧電方式等の手段によって、複数のノズルが形成されたノズル面から吐出し、画像を記録する構成となっている。
【００１９】
また、画像記録部１４は、インクジェット記録ヘッド２０Ｙ〜２０Ｋの上流側に、液滴を吐出する液滴吐出ヘッド２０Ｌを備えている。液滴吐出ヘッド２０Ｌは、例えば、インクジェット記録ヘッド２０Ｙ〜２０Ｋが吐出するインクと反応する反応性を有する液体、例えば、インクの滲みを防止してインク定着を促進させる処理液を、サーマル方式や圧電方式等の手段によって吐出する構成となっている。
【００２０】
インクジェット記録装置１０では、インクジェット記録ヘッド２０Ｙ〜２０Ｋ及び液滴吐出ヘッド２０Ｌから吐出されたインク滴及び液滴が着弾する領域が、インクジェット記録ヘッド２０Ｙ〜２０Ｋ及び液滴吐出ヘッド２０Ｌの吐出領域となっている（図５参照）。
【００２１】
また、インクジェット記録ヘッド２０Ｙ〜２０Ｋは、ぞれぞれ、画像記録が可能な幅が、記録媒体Ｐの被記録領域の幅以上とされている。なお、ここでいう幅とは、記録媒体Ｐの搬送方向と交差する方向の長さである。
【００２２】
インクジェット記録装置１０には、インクを貯留するインクタンク２１Ｙ、２１Ｍ、２１Ｃ、２１Ｋが設けられている。このインクタンク２１Ｙ、２１Ｍ、２１Ｃ、２１Ｋから、各インクジェット記録ヘッド２０Ｙ〜２０Ｋへインクが供給される。なお、インクジェット記録ヘッド２０Ｙ〜２０Ｋへ供給されるインクとしては、水性インク、油性インク、溶剤系インク等、各種インクの使用が可能である。
【００２３】
また、インクジェット記録装置１０には、液滴吐出ヘッド２０Ｌが吐出する液体を貯留する貯留タンク２１Ｌが設けられている。この貯留タンク２１Ｌから液滴吐出ヘッド２０Ｌへ液体が供給される。
【００２４】
更に、インクジェット記録装置１０には、インクジェット記録ヘッド２０Ｙ〜２０Ｋ及び液滴吐出ヘッド２０Ｌのメンテナンスをするメンテナンスユニット２２Ｙ、２２Ｍ、２２Ｃ、２２Ｋ、２２Ｌ（以下、２２Ｙ〜２２Ｌと示す）が設けられている。このメンテナンスユニット２２Ｙ〜２２Ｌは、それぞれ、インクジェット記録ヘッド２０Ｙ〜２０Ｋ及び液滴吐出ヘッド２０Ｌのノズル面に対向する対向位置（図２参照）と、インクジェット記録ヘッド２０Ｙ〜２０Ｋ及び液滴吐出ヘッド２０Ｌのノズル面から退避した退避位置（図１参照）との間を移動可能に構成されている。
【００２５】
各メンテナンスユニット２２Ｙ〜２２Ｌは、インクジェット記録ヘッド２０Ｙ〜２０Ｋ及び液滴吐出ヘッド２０Ｌのノズル面を覆うキャップ、インクジェット記録ヘッド２０Ｙ〜２０Ｋ及び液滴吐出ヘッド２０Ｌのノズル面を清掃する清掃部材等を有しており、各インクジェット記録ヘッド２０Ｙ〜２０Ｋ及び液滴吐出ヘッド２０Ｌをメンテナンスする際には、各インクジェット記録ヘッド２０Ｙ〜２０Ｋ及び液滴吐出ヘッド２０Ｌが所定高さ上昇すると共にメンテナンスユニット２２Ｙ〜２２Ｌが対向位置に移動し、各種のメンテナンスを行う。
【００２６】
搬送手段１６は、記録媒体収容部１２に収容された記録媒体Ｐを送り出す送出しロール２４と、送出しロール２４によって送り出された記録媒体Ｐを挟持搬送する搬送ロール対２５と、搬送ロール対２５によって搬送された記録媒体Ｐを所定のタイミングで搬送ベルト３０へ送り込む送り込み手段の一例としての送り込みロール２３と、送り込みロール２３で送り込まれた記録媒体Ｐを外周面に載せて搬送する搬送部材の一例としての無端状の搬送ベルト３０と、を備えている。
【００２７】
搬送ベルト３０は、記録媒体Ｐの搬送方向下流側に配置された駆動ロール２６と、記録媒体Ｐの搬送方向上流側に配置された従動ロール２８と、駆動ロール２６及び従動ロール２８の下方に配置された巻掛けロール２７に巻き掛けられ、所定方向（図１においてＡ方向）に循環移動するように構成されている。
【００２８】
循環移動する搬送ベルト３０は、外周面に載せた記録媒体Ｐをインクジェット記録ヘッド２０Ｙ〜２０Ｋ及び液滴吐出ヘッド２０Ｌの吐出領域下へ搬送し、記録媒体Ｐの被記録面をインクジェット記録ヘッド２０Ｙ〜２０Ｋ及び液滴吐出ヘッド２０Ｌに対面させる。
【００２９】
なお、搬送部材としては、搬送ドラムであってもよく、循環移動する外周面に記録媒体を載せて搬送する部材であれば良い。
【００３０】
搬送ベルト３０の内周側には、駆動ロール２６と従動ロール２８との間に、搬送ベルト３０の外周面に載せられた記録媒体Ｐを平滑に支持するプラテン２９が配置されている。
【００３１】
また、従動ロール２８の上部には、記録媒体Ｐを搬送ベルト３０へ押え付ける押さえロール３２が設けられている。この押さえロール３２は搬送ベルト３０に従動すると共に帯電ロールを兼ねており、この押さえロール３２によって搬送ベルト３０が帯電されることにより、記録媒体Ｐが搬送ベルト３０に静電吸着されて搬送される構成である。
【００３２】
このように、搬送ベルト３０が記録媒体Ｐをインクジェット記録ヘッド２０Ｙ〜２０Ｋ及び液滴吐出ヘッド２０Ｌの吐出領域下へ記録媒体Ｐを搬送し、インクジェット記録ヘッド２０Ｙ〜２０Ｋ及び液滴吐出ヘッド２０Ｌは、吐出領域下にある記録媒体Ｐへインク滴及び液滴を吐出して画像が記録される。
【００３３】
また、記録媒体Ｐが搬送ベルト３０で搬送することにより、インクジェット記録ヘッド２０Ｙ〜２０Ｃ及び液滴吐出ヘッド２０Ｌと記録媒体Ｐとが相対移動し、相対移動する記録媒体Ｐにインク滴が吐出されて画像が記録される。
【００３４】
なお、記録媒体Ｐに対してインクジェット記録ヘッド２０Ｙ〜２０Ｋ及び液滴吐出ヘッド２０Ｌが移動する構成であっても良く、記録媒体Ｐとインクジェット記録ヘッド２０Ｙ〜２０Ｋ及び液滴吐出ヘッド２０Ｌとが相対移動する構成であればよい。
【００３５】
また、搬送ベルト３０は、記録媒体Ｐを静電吸着して保持する構成に限定されるものではなく、記録媒体Ｐとの摩擦により、あるいは記録媒体Ｐを吸引や粘着などの非静電的手段によって保持する構成にしてもよい。
【００３６】
また、搬送ベルト３０の下流側には、その搬送ベルト３０から記録媒体Ｐを剥離する剥離爪３７が接近・離隔可能に配設されている。インクジェット記録ヘッド２０Ｙ〜２０Ｋにより画像が記録された記録媒体Ｐは、搬送ベルト３０の曲率及び剥離爪３７により記録媒体Ｐが搬送ベルト３０から剥離される構成となっている。
【００３７】
剥離爪３７の下流側には、記録媒体Ｐの被記録面側がスターホイールとされた複数の搬送ロール対３８が設けられている。この搬送ロール対３８により、画像記録部１４で画像が記録された記録媒体Ｐが、記録媒体排出部１８へ搬送される。
【００３８】
また、搬送ベルト３０の下方には、記録媒体Ｐを反転させる反転部３６が設けられており、搬送ロール対３８が記録媒体Ｐを下流に一旦搬送した後、搬送ロール対３８が逆転して記録媒体Ｐが反転部３６に送られる構成となっている。
【００３９】
この反転部３６には、記録媒体Ｐの被記録面側がスターホイールとされた複数の搬送ロール対３９が設けられ、反転部３６に送り込まれた記録媒体Ｐが再度、搬送ベルト３０へ送られるようになっている。
【００４０】
また、インクジェット記録装置１０は、インクジェット記録ヘッド２０Ｙ〜２０Ｋ及び液滴吐出ヘッド２０Ｌの動作を制御する制御手段の一例としてのコントローラ４６を備えている。
【００４１】
コントローラ４６は、インクジェット記録ヘッド２０Ｙ〜２０Ｋに接続され、外部から入力された画像データに応じてインク滴の吐出タイミングと、使用するインクジェット記録ヘッド２０Ｙ〜２０Ｋのノズルを決定し、そのノズルに駆動信号を印加する。また、図示しないが、インクジェット記録装置１０は、インクジェット記録装置１０の全体の動作を制御するシステム制御手段を備えている。
【００４２】
次に、インクジェット記録装置１０の画像記録動作について説明する。
【００４３】
まず、送出しロール２４により、記録媒体収容部１２から記録媒体Ｐが送り出され、搬送ベルト３０よりも上流側の搬送ロール対２５及び送り込みロール２３により、搬送ベルト３０へ送られる。
【００４４】
搬送ベルト３０へ送られた記録媒体Ｐは、その搬送ベルト３０の搬送面に吸着・保持され、インクジェット記録ヘッド２０Ｙ〜２０Ｋ及び液滴吐出ヘッド２０Ｌの吐出領域へ搬送され、記録媒体Ｐの被記録面に画像が記録される。そして、その画像記録終了後、記録媒体Ｐは搬送ベルト３０から剥離爪３７によって剥離される。
【００４５】
記録媒体Ｐの片面へのみ画像を記録する場合は、搬送ベルト３０よりも下流側の搬送ロール対３８によって記録媒体排出部１８へ排出される。
【００４６】
記録媒体Ｐの両面へ画像を記録する場合には、片面に画像が記録された後、記録媒体Ｐは、反転部３６で反転されて、再び搬送ベルト３０に送られる。記録媒体Ｐの反対面側に上記と同様に画像が記録され、記録媒体Ｐの両面へ画像が記録され、記録媒体排出部１８へ排出される。
【００４７】
（本実施形態に係るインクジェット記録装置における予備吐出）
次に、本実施形態に係るインクジェット記録装置における予備吐出について説明する。
【００４８】
本実施形態に係るインクジェット記録装置１０においては、インクジェット記録ヘッド２０Ｙ〜２０Ｋ及び液滴吐出ヘッド２０Ｌのノズルのうち、インク滴及び液滴の吐出に使用されないノズルの目詰まりを防止するため、定期的に搬送ベルト３０の外周面上にインク滴及び液滴を吐出する予備吐出を行う。
【００４９】
本実施形態に係るインクジェット記録装置１０では、通常の画像記録状態においては、図３に示すように、記録媒体Ｐと記録媒体Ｐとの間隔を、少なくとも吐出領域よりも短い通常記録媒体間隔にして、記録媒体Ｐを連続搬送し、画像を連続記録するようになっている。
【００５０】
これに対して、予備吐出する場合には、図４に示すように、連続搬送される記録媒体Ｐと記録媒体Ｐとの間隔は予備吐出用の記録媒体間隔とされ、その記録媒体Ｐと記録媒体Ｐとの間に、搬送ベルト３０の外周面へ予備吐出するようになっている。
【００５１】
なお、予備吐出用の記録媒体間隔は、通常記録媒体間隔と異なる間隔であっても良く、同じ間隔であっても良い。この予備吐出用の記録媒体間隔及び通常記録媒体間隔は、送り込みロール２３が記録媒体Ｐを搬送ベルト３０に送り込むタイミングを制御することにより形成される。
【００５２】
また、インクジェット記録装置１０は、予備吐出されたインク滴及び液滴を清掃する清掃部材の一例としてのワイパーブレード４０を備えている。
【００５３】
ワイパーブレード４０は、ゴム等の板状の弾性体で形成されており、その長さが、記録媒体Ｐの被記録領域の幅以上とされている。なお、ここでいう幅とは、記録媒体Ｐの搬送方向と交差する方向の長さである。
【００５４】
ワイパーブレード４０は、搬送ベルト３０の外周面上に配置され、搬送ベルト３０の外周面に接離する構成となっており、通常の画像記録状態においては、搬送ベルト３０の外周面から退避し、予備吐出されたインク滴及び液滴を清掃する際に、搬送ベルト３０の外周面に接触し、インク滴及び液滴を掻き取って清掃する。
【００５５】
なお、ワイパーブレード４０は、常時に搬送ベルト３０の外周面に接触する構成であってもよい。また、清掃部材としては、スポンジ等の多孔質体で形成され回転してインク滴及び液滴を除去する清掃ロールであっても良い。
【００５６】
ワイパーブレード４０の下方には、ワイパーブレード４０が除去したインク滴及び液滴を回収する回収タンク４２が設けられている。
【００５７】
回収タンク４２は、回収タンク４２の上部に形成された開口部４２Ａで、ワイパーブレード４０が除去し落下するインク滴及び液滴を受け、開口部４２Ａから流入するインクをタンク内で貯留する。
【００５８】
ここで、本実施形態では、図５に示すように、ワイパーブレード４０は、搬送ベルト３０に沿って吐出領域の最下流から通常記録媒体間隔ｉと記録媒体Ｐの長さｐを加算した長さＬ離れて配置されている。なお、この場合の記録媒体Ｐの長さとは、搬送方向に沿った長さである。
【００５９】
これにより、予備吐出後１枚目に搬送ベルト３０で搬送された記録媒体Ｐの後端部が吐出領域を抜けたときに、予備吐出されたインク滴及び液滴が、ワイパーブレード４０が配置された位置に搬送ベルト３０で運ばれる。
【００６０】
すなわち、予備吐出後１枚目に搬送ベルト３０で搬送された記録媒体Ｐがインクジェット記録ヘッド２０Ｙ〜２０Ｋ及び液滴吐出ヘッド２０Ｌの吐出領域下にある間には、予備吐出されたインク滴及び液滴の清掃動作を行うことができないようになっている。
【００６１】
さらに、本実施形態においては、予備吐出後１枚目に搬送ベルト３０で搬送された記録媒体Ｐとその次の記録媒体（予備吐出後２枚目の記録媒体Ｐ）Ｐとの間隔が、予備吐出用の記録媒体間隔ｄと吐出領域の長さｈを加算した長さＩとなるように、送り込みロール２３が、次の記録媒体を搬送ベルト３０へ送り込む構成となっている。すなわち、間に予備吐出される記録媒体の間隔（予備吐出用の記録媒体間隔）をｄ、吐出領域の長さをｈとしたとき、Ｉ＝ｈ＋ｄ（計算式１）が成立すればよい。
【００６２】
これにより、ワイパーブレード４０による清掃が完了したときに、予備吐出後２枚目の記録媒体Ｐの先端部が、吐出領域の最上流に位置する。すなわち、予備吐出後２枚目の記録媒体Ｐは、予備吐出されたインク滴及び液滴の清掃動作中において、吐出領域に進入せずに、吐出領域の上流側で待機した状態となり、ワイパーブレード４０による清掃が完了したときに、吐出領域に進入するようになっている。
【００６３】
なお、予備吐出後２枚目以降に搬送ベルト３０で搬送された記録媒体Ｐの後端部が、吐出領域を抜けたときに、搬送ベルト３０によって運ばれた液滴がある位置に、ワイパーブレード４０は配置される構成であっても良い。
【００６４】
従って、吐出領域の最下流から距離Ｌは、記録媒体Ｐの長さをｐ、間に予備吐出されることなく連続搬送される記録媒体の間隔（通常記録媒体間隔）をｉ、間に予備吐出される記録媒体の間隔（予備吐出用の記録媒体間隔）をｄ、吐出領域の長さをｈとしたとき、Ｌ＝ｎ・ｐ＋（ｎ−１）・ｉ＋ｄ（計算式２）が成立すればよい。なお、この場合の吐出領域の長さとは、搬送方向に沿った長さである。
【００６５】
これにより、予備吐出後ｎ枚目の記録媒体の後端部が吐出領域を抜けたときに、搬送ベルト３０によって運ばれた液滴がある位置に、ワイパーブレード４０が配置される。
【００６６】
この場合、送り込みロール２３は、予備吐出後ｎ枚目の記録媒体Ｐとその次の記録媒体Ｐとの間隔がＩとなるように次の記録媒体を搬送ベルト３０へ送り込みように構成される。
【００６７】
なお、間に予備吐出される記録媒体の間隔を（予備吐出用の記録媒体間隔）ｄとは、実際に予備吐出するのに必要な長さに、任意の長さを加算した長さとなる。任意の長さとは、ワイパーブレード４０の接離動作及びインクの引きずりなどにより設定される。
【００６８】
また、記録媒体Ｐの長さｐは、記録媒体Ｐの大きさにより変動し、インクジェット記録装置１０において、異なる大きさの記録媒体Ｐを使用する場合では、上記の計算式２で算出される距離Ｌは変動する。
【００６９】
これに対応すべく、図６に示すように、ワイパーブレード４０を搬送ベルト３０の外周面に沿って移動可能とする構成としてもよい。
【００７０】
この構成では、異なる大きさの記録媒体Ｐが搬送される場合に、上記の計算式２が成立する位置にワイパーブレード４０及び回収タンク４２を移動させて、予備吐出されたインク滴及び液滴を清掃する。
【００７１】
また、図７に示すように、ワイパーブレード４０を搬送ベルト３０の外周面に沿って複数設け、予備吐出された液滴を清掃するワイパーブレード４０を選択可能とする構成としてもよい。
【００７２】
この構成では、予めインクジェット記録装置で使用される複数の記録媒体Ｐの大きさに対応して、上記の計算式２で算出される位置にワイパーブレード４０を設け、ワイパーブレード４０を選択して予備吐出されたインク滴及び液滴を清掃する。
【００７３】
（本実施形態の作用）
次に、上記の実施形態について作用を説明する。
【００７４】
本実施形態に係るインクジェット記録装置１０では、連続搬送される記録媒体Ｐの記録媒体Ｐと記録媒体Ｐとの間に搬送ベルト３０の外周面へ、インクジェット記録ヘッド２０Ｙ〜２０Ｋ及び液滴吐出ヘッド２０Ｌから予備吐出する（図４参照）。
【００７５】
予備吐出後１枚目の記録媒体Ｐは、吐出領域に搬送ベルト３０で搬送され、インクジェット記録ヘッド２０Ｙ〜２０Ｋ及び液滴吐出ヘッド２０Ｌからインク滴及び液滴が吐出され、画像が記録される。
【００７６】
この予備吐出後１枚目の記録媒体Ｐが搬送ベルト３０でさらに搬送され、この記録媒体Ｐの後端部が吐出領域を抜けたときに、予備吐出されたインク滴及び液滴は、ワイパーブレード４０が配置された位置に、搬送ベルト３０によって運ばれる（図５参照）。
【００７７】
搬送ベルト３０によって運ばれたインク滴及び液滴は、ワイパーブレード４０により清掃される。このインク滴及び液滴の清掃動作中においては、予備吐出後２枚目の記録媒体Ｐは、吐出領域に進入せずに、吐出領域の上流側で待機した状態となり、ワイパーブレード４０による清掃が完了したときに、吐出領域に進入する。
【００７８】
吐出領域に進入した予備吐出後２枚目の記録媒体Ｐへは、インクジェット記録ヘッド２０Ｙ〜２０Ｋ及び液滴吐出ヘッド２０Ｌからインク滴及び液滴が吐出され、画像が記録される。
【００７９】
このように、本実施形態では、搬送ベルト３０で搬送される記録媒体Ｐへインク滴及び液滴を吐出する吐出動作と、搬送ベルト３０の外周面へ予備吐出されたインク滴及び液滴を清掃する清掃動作とが、同時に行われず、別々に行われる。すなわち、搬送ベルト３０にワイパーブレード４０が接触し、搬送ベルト３０の速度変動が生じる可能性がある間には、インクジェット記録ヘッド２０Ｙ〜２０Ｋ及び液滴吐出ヘッド２０Ｌからインク滴及び液滴が記録媒体Ｐへ吐出されない。
【００８０】
本発明は、上記の実施形態に限るものではなく、種々の変形、変更、改良が可能である。
【図面の簡単な説明】
【００８１】
【図１】図１は、本実施形態に係るインクジェット記録装置の全体構成を示す概略図である。
【図２】図２は、本実施形態に係るインクジェット記録装置において、メンテナンスユニットがインクジェット記録ヘッド及び液滴吐出ヘッドに対向する対向位置にある状態を示す概略図である。
【図３】図３は、本実施形態に係るインクジェット記録装置において、通常の画像記録状態を示す図ある。
【図４】図４は、本実施形態に係るインクジェット記録装置において、予備吐出された状態を示す図である。
【図５】図５は、本実施形態に係るインクジェット記録装置において、予備吐出されたインク滴及び液滴を清掃する状態を示す図である。
【図６】図６は、本実施形態に係るワイパーブレードが移動可能とされた構成を示す図である。
【図７】図７は、本実施形態に係るワイパーブレードが複数設けられた構成を示す図である。
【符号の説明】
【００８２】
１０   インクジェット記録装置（液滴吐出装置）
２０Ｌ 液滴吐出ヘッド
２０Ｙ〜２０Ｋ  インクジェット記録ヘッド（液滴吐出ヘッド）
２３   送り込みロール（送り込み手段）
３０   搬送ベルト（搬送部材）
４０   ワイパーブレード（清掃部材）
Ｐ     記録媒体
【図１】
2008201061.tif 000003
【図２】
2008201061.tif 000004
【図３】
2008201061.tif 000005
【図４】
2008201061.tif 000006
【図５】
2008201061.tif 000007
【図６】
2008201061.tif 000008
【図７】
2008201061.tif 000009